(57)【特許請求の範囲】
【請求項１】
下記のブラジャー本体Ｗと、ブラジャー本体Ｗに対し係脱自在な下記の３種類のストラップＸ，Ｙ，Ｚが組み合わせられており、上記ストラップＸの取り付け態様が２通り選択可能になっているとともに、上記ストラップＹ，Ｚが交換使用可能になっていることを特徴とするブラジャー。
（Ｗ）着用時に乳房を覆う左右一対のカップと、これらのカップを横一列につなぐ中央連結部と、上記カップの左右の縁部からそれぞれ横方向に延びる延長部とを備え、上記各カップの上縁部の一個所に、上記ストラップＸの一端を装着しうる係合部Ａ，Ａ′が設けられているとともに、上記左右一対の延長部の先端部に、上下方向に上記ストラップＸの他端を装着しうる係合部Ｂ，Ｂ′と、左右方向に上記ストラップＹまたはＺの一端を装着しうる係合部Ｃ，Ｃ′とが設けられており、上記中央連結部が、非伸縮性生地で形成され、その中央に上端縁から下向きに長方形状の切欠き部が設けられているブラジャー本体。
（Ｘ）それぞれの一端が上記係合部Ａ，Ａ′と係合し、他端が上記係合部Ｂ，Ｂ′と係合することにより、着用時に左右の肩ひもとなる２本一対の肩用ストラップ。
（Ｙ）それぞれの一端が上記係合部Ｃ，Ｃ′と係合し、他端が、着用時に背中側で互いに係合することにより、ブラジャーを固定する２本一対の固定用ストラップ。
（Ｚ）それぞれの一端が上記係合部Ｃ，Ｃ′と係合し、他端が、着用時に背中側で交差し腹部まで回り込んでみぞおち部の前で互いに係合することにより、ブラジャーを固定する２本一対の固定用ストラップ。
【請求項２】
ブラジャー本体Ｗのカップ上縁部と延長部上縁部の裏側に、一直線状に伸縮テープが縫合されており、上記伸縮テープの、カップ上縁部の内側端において折り返されて形成された輪が、上記係合部Ａ，Ａ′になっており、上記伸縮テープの、延長部上縁部の外側端において折り返されて形成された輪が、上記係合部Ｃ，Ｃ′になっている請求項１記載のブラジャー。
【発明の詳細な説明】
【発明の属する技術分野】
本発明は、目的に応じてストラップの付け方を変えることのできるブラジャーに関するものである。
【０００１】
【従来の技術】
ブラジャーは、通常、図８に示すように、左右の乳房を被覆する２個のカップ１，２と、これらのカップ１，２を横一列につなぐ連結部３と、上記カップ１，２の左右の縁部からそれぞれ横方向に帯状に延びる左右一対の延長部４，５と、上記各カップ１，２の上縁部の一個所と上記各延長部４，５の上縁部の一個所とをそれぞれつなぐ左右一対のストラップ６，７とで構成されている。そして、上記左右の延長部４，５の先端に、互いに係合するホック（図では見えない）が取り付けられており、これを背中側で係合させることにより、胸に左右のカップ１，２を押し付けた状態でブラジャーを装着することができるようになっている（バックホックタイプ）。また、上記延長部４，５を一続きの帯状体で形成し、胸の連結部３の中央を、ホックで着脱自在に係合できるようにしたもの（フロントホックタイプ）もある。
【０００２】
【発明が解決しようとする課題】
これらのブラジャーにおいて、最近、左右のストラップが、ブラジャー本体に対し着脱自在で、肩が大きく露出する服を着る場合に、ストラップを外すことができるようになったものが出回っている。
【０００３】
しかしながら、このようなブラジャーであっても、例えば背中が大きく空いたデザインの服に対しては、肩のストラップを外すだけでは背中側の延長部４，５が見えるため、これを着用することができない、という問題がある。
【０００４】
本発明は、このような事情に鑑みなされたもので、上から着る服の、背中のくりや肩のくりに応じて、適宜にストラップを付け替えることのできる、優れたブラジャーの提供をその目的とする。
【０００５】
【課題を解決するための手段】
上記の目的を達成するため、本発明は、下記のブラジャー本体Ｗと、ブラジャー本体Ｗに対し係脱自在な下記の３種類のストラップＸ，Ｙ，Ｚが組み合わせられており、上記ストラップＸの取り付け態様が２通り選択可能になっているとともに、上記ストラップＹ，Ｚが交換使用可能になっているブラジャーを第１の要旨とする。
（Ｗ）着用時に乳房を覆う左右一対のカップと、これらのカップを横一列につなぐ中央連結部と、上記カップの左右の縁部からそれぞれ横方向に延びる延長部とを備え、上記各カップの上縁部の一個所に、上記ストラップＸの一端を装着しうる係合部Ａ，Ａ′が設けられているとともに、上記左右一対の延長部の先端部に、上下方向に上記ストラップＸの他端を装着しうる係合部Ｂ，Ｂ′と、左右方向に上記ストラップＹまたはＺの一端を装着しうる係合部Ｃ，Ｃ′とが設けられており、上記中央連結部が、非伸縮性生地で形成され、その中央に上端縁から下向きに長方形状の切欠き部が設けられているブラジャー本体。
（Ｘ）それぞれの一端が上記係合部Ａ，Ａ′と係合し、他端が上記係合部Ｂ，Ｂ′と係合することにより、着用時に左右の肩ひもとなる２本一対の肩用ストラップ。
（Ｙ）それぞれの一端が上記係合部Ｃ，Ｃ′と係合し、他端が、着用時に背中側で互いに係合することにより、ブラジャーを固定する２本一対の固定用ストラップ。
（Ｚ）それぞれの一端が上記係合部Ｃ，Ｃ′と係合し、他端が、着用時に背中側で交差し腹部まで回り込んでみぞおち部の前で互いに係合することにより、ブラジャーを固定する２本一対の固定用ストラップ。
【０００６】
また、上記ブラジャーのなかでも、特に、ブラジャー本体Ｗのカップ上縁部と延長部上縁部の裏側に、一直線状に伸縮テープが縫合されており、上記伸縮テープの、カップ上縁部の内側端において折り返されて形成された輪が、上記係合部Ａ，Ａ′になっており、上記伸縮テープの、延長部上縁部の外側端において折り返されて形成された輪が、上記係合部Ｃ，Ｃ′になっているものを第２の要旨とする。
【０００７】
【発明の実施の形態】
つぎに、本発明の実施の形態について説明する。
【０００８】
図１は、本発明の一実施の形態であるブラジャーの、左右に延ばした状態の正面図を示している。このブラジャーは、左右一対のカップ１０，１１と、これを左右につなぐ中央連結部１２と、カップ１０，１１の左右の縁部からそれぞれ横方向に延びる延長部１３，１４からなるブラジャー本体Ｗと、これに係脱自在に取り付けられる、２本一対の、３種類のストラップＸ，Ｙ，Ｚとで構成されている。
【０００９】
上記カップ１０，１１は、それぞれ一枚生地がカップ状に熱セットされて形成されており、ノーブラ感覚で柔らかく乳房を包むようになっている。なお、カップ１０，１１の上縁部のうち、中央側の斜辺部は、それぞれ耳部になっており、縫合による縁部処理はなされていない。また、カップ１０，１１の下縁部には、通常のワイヤ入りブラジャーと同様、保形用のワイヤが挿通されている。
【００１０】
そして、上記中央連結部１２は、非伸縮性生地で形成されており、その中央に、上端縁から下向きに長方形状の切欠き部１２ａが設けられている。この切欠き部１２ａは、カップ１０，１１が左右から引っ張られる方向が、後述するように、ストラップＹ，Ｚのどちらを取り付けるかによって変わることを考慮したもので、この切欠き部１２ａの上部が左右に開くことで、カップ１０，１１自体によじれ等が生じないようになっている。
【００１１】
一方、上記ブラジャー本体Ｗに装着しうる３種類のストラップＸ，Ｙ，Ｚのうち、ストラップＸは、左右の肩ひもとなるもので、二重に保持されて長さ調節可能になっている部分Ｘａを最も短くした状態での全長（テープ部分のみ）が、４０ｃｍに設定されている。そして、それぞれの両端部に、上記ブラジャー本体Ｗと係合するための係合用金具１９〜２２が取り付けられている。
【００１２】
また、ストラップＹは、背中側でブラジャーを固定するためのもので、比較的短く、二重に保持されて長さ調節可能になっている部分Ｙａを最も短くした状態での全長（テープ部分のみ）が、７ｃｍに設定されている。そして、それぞれの片方の端部に、上記ブラジャー本体Ｗと係合するための係合具２３，２４が取り付けられており、他方の端部に、互いを嵌め合わせて係合しうる留め具２５，２６が取り付けられている。なお、留め具２５，２６の詳細を図５に示す。この留め具２５，２６によれば、互いの切欠き部２５ａ，２６ａを交差させながら上下方向から差し込み、互いの凹部に相手の突出部２５ｂ，２６ｂを嵌め合わせることにより、両者を係合することができるようになっている。
【００１３】
さらに、ストラップＺは、背中側で交差し腹部側でブラジャーを固定するためのもので、最も長く、二重に保持されて長さ調節可能になっている部分Ｚａを最も短くした状態での全長（テープ部分のみ）が、５６ｃｍに設定されている。そして、上記ストラップＹと同様、それぞれの片方の端部に、上記ブラジャー本体Ｗと係合するための係合具２７，２８が取り付けられており、他方の端部に、互いを嵌め合わせて係合しうる留め具２９，３０が取り付けられている。
【００１４】
そして、ブラジャー本体Ｗの裏側は、図２に示すようになっており、カップ１０，１１の上縁部と左右の延長部１３，１４の上縁部にまたがって、直線状に伸縮テープ１５，１６が縫合されている。また、上記延長部１３，１４の下縁部にも、同様の伸縮テープ１７，１８が縫合されている。
【００１５】
上記伸縮テープ１５，１６の、カップ１０，１１の内側端に当たる部分は、それぞれ端部が手前に折り返されて輪になっており、この輪が、肩用ストラップ装着用の係合部Ａ，Ａ′になっている。また、伸縮テープ１７，１８の、延長部１３，１４の外側端に当たる部分も、それぞれ端部が手前に折り返されて輪になっており、この輪が、固定用ストラップ装着用の係合部Ｃ，Ｃ′になっている。さらに、この係合部Ｃ，Ｃ′の近傍に、別部材で輪が形成されており、この輪が、肩用ストラップ装着用の係合部Ｂ，Ｂ′になっている。
【００１６】
したがって、上記ブラジャー本体Ｗの裏面に設けられた係合部Ａ，Ａ′に、ストラップＸの一端をそれぞれ係合し、係合部Ｂ，Ｂ′に、上記ストラップＸの他端をそれぞれ係合し、係合部Ｃ，Ｃ′に、ストラップＹの一端をそれぞれ係合することにより、図３に示すようなブラジャーを得ることができる。このブラジャーは、図４に示すように、上記ストラップＹの留め具２５，２６を背中側で係合して留めることにより、一般的なブラジャーの態様で着用することができる。
【００１７】
また、上記ストラップＹに代えて、係合部Ｃ，Ｃ′に、ストラップＺの一端をそれぞれ係合してなるブラジャーは、図６に示すように、上記ストラップＺの他端側を、背中側の下方で交差させ、さらに腹部まで回り込ませて、互いの端部をみぞおち部の前で突き合わせて、留め具２９，３０を係合して留めることにより、左右の延長部１３，１４を斜め下に引っ張って背中を大きく空けた態様で着用することができる。これにより、背中が大きく空いた服を、ブラジャーを気にすることなく着用することができる。
【００１８】
なお、この着用態様では、左右のカップ１０，１１が、延長部１３，１４を介して斜め下方向に引っ張られるが、すでに触れたように、前記切欠き部１２ａ（図１参照）の上部が左右に広がることにより、この引っ張り応力を緩和し、左右のカップ１０，１１自体によじれ等が発生することを防止している。また、中央連結部１２が、非伸縮性生地で形成されているため、この部分は伸縮せず、着用態様が図４の場合であっても図６の場合であっても、カップ１０，１１が胸から離れないようこれを強く押し付けるようになっている。
【００１９】
さらに、このブラジャーにおいて、肩ひもとなるストラップＸの他端を係合部Ａ，Ａ′に係合する際、図４の場合と左右逆にすることにより、図７に示すように、ストラップＸを、背中側で交差させた状態で着用することができる。この態様によれば、肩のくりの大きな服を、ブラジャーを気にすることなく着用することができる。もちろん、図６に示すように、ストラップＺを取り付けた態様においても、上記のように、ストラップＸを、背中側で交差させることができる。
【００２０】
以上のように、このブラジャーは、ブラジャー本体Ｗに対し係脱自在な３種類のストラップＸ，Ｙ，Ｚが組み合わせたもので、上記ストラップＸの取り付け態様が２通り選択可能になっているとともに、上記ストラップＹ，Ｚが交換使用可能になっている。したがって、このブラジャーによれば、その上から着る服の形状に合わせて、適宜にストラップを付け替えることができ、服との組み合わせ幅が広い。また、服の形状にかかわらず、自分にとって最も付け心地のよい態様を、自由に選択することもできる。
【００２１】
なお、上記の例では、カップ１０，１１を、それぞれ一枚生地で形成し、ノーブラ感覚で着用できるタイプのブラジャーとしたが、カップ１０，１１の形態は、これに限らず、どのようなものであっても差し支えない。
【００２２】
また、中央連結部１２は、上記の例のように非伸縮性生地で形成しなければならない。すなわち、伸縮性が抑制されたものの方が、左右のカップ１０，１１を胸に押し付ける効果の点で、好適だからである。そして、この部分には、切欠き部１２ａを形成しなければならない。
【００２３】
そして、ストラップＸ，Ｙ，Ｚの材質や係合具１９等，留め具２５，２６等も、上記の例に限らず、適宜のものを選択することができる。また、ブラジャー本体Ｗに形成する係合部Ａ，Ａ′，Ｂ，Ｂ′，Ｃ，Ｃ′についても、その形成方法は、特に限定されるものではなく、上記の例のように、裏から当てる伸縮テープ１５，１６の端部を折り返して輪にして利用してもよいし、別部材を当てて輪にしてもよい。ただし、伸縮テープ１５，１６の端部を利用できる部分においては、これを利用する方が、嵩張らず、好適である。
【００２４】
【発明の効果】
以上のように、本発明のブラジャーは、ブラジャー本体Ｗに対し係脱自在な３種類のストラップＸ，Ｙ，Ｚを組み合わせたもので、上記ストラップＸの取り付け態様が２通り選択可能になっているとともに、上記ストラップＹ，Ｚが交換使用可能になっている。したがって、このブラジャーによれば、その上から着る服の形状に合わせて、適宜にストラップを付け替えることができ、服との組み合わせ幅が広い。また、服の形状にかかわらず、自分にとって最も付け心地のよい態様を、自由に選択することもできる。そして、左右のカップを連結する中央連結部が非伸縮性生地で形成され、その中央に特殊な切欠き部が設けれているため、いずれの取り付け態様で着用した場合も、カップが胸に強く押し付けられ、しかもカップ自体によじれ等が発生することがない。
【図面の簡単な説明】
【図１】本発明の一実施例の正面図である。
【図２】上記実施例の背面図である。
【図３】上記実施例の一態様を示す説明図である。
【図４】上記実施例の着用態様を示す説明図である。
【図５】上記実施例に用いる留め具の説明図である。
【図６】上記実施例の他の着用態様を示す説明図である。
【図７】上記実施例のさらに他の着用態様を示す説明図である。
【図８】従来のブラジャーの一例を示す説明図である。
【符号の説明】
１０，１１  カップ
１２  中央連結部
１３，１４  延長部
Ｗ  ブラジャー本体
Ｘ，Ｙ，Ｚ  ストラップ
【図１】
0003671125.tif 000002
【図２】
0003671125.tif 000003
【図３】
0003671125.tif 000004
【図４】
0003671125.tif 000005
【図５】
0003671125.tif 000006
【図６】
0003671125.tif 000007
【図７】
0003671125.tif 000008
【図８】
0003671125.tif 000009